(57)【特許請求の範囲】
【請求項１】
壁面に止着させる止着体（２）と、該止着体（２）に設けられたバー受け（３）と、該バー受け（３）に水平軸（４ａ）回りに回動自在に支持されるとともに前記水平軸（４ａ）から延設された掛けバー本体（４ｃ）にタオル等を二つ折り状に掛け吊すものとなされた掛けバー（４）とを備えてなるタオル等の掛け具（１）において、
前記掛けバー（４）が、高さよりも幅が大に設定されてなる断面非真円形の棒材から形成されるとともに、前記水平軸（４ａ）に回動用連結体（５）が固着され、該回動用連結体（５）を介して前記バー受け（３）に水平軸（４ａ）回りに回動自在に支持されるものとなされてなることを特徴とするタオル等の掛け具。
【請求項２】
前記バー受け（３）は、前記掛けバー（４）が実質的に取り付けられるバー受け本体（７）と、該バー受け本体（７）を支持し前記止着体（２）に取り付けられるバー受け本体支持体（６）とからなり、該バー受け本体支持体（６）は、前端部に水平方向に沿った嵌合用突条部（６ａ）とその下方に設けられたバー受け本体受け面部（６ｆ）とを備える一方、前記バー受け本体（７）は後端部に長手方向に沿って後方に膨出した連結用凸部（７ａ）が形成され、該連結用凸部（７ａ）に水平方向に沿って前記嵌合用突条部（６ａ）に対応した形状の溝部（７ｂ）を備え、該溝部（７ｂ）が前記嵌合用突条部（６ａ）に嵌合されるとともに、前記連結用凸部（７ａ）の下面が前記バー受け本体受け面部（６ｆ）に支持されることにより前記バー受け本体（７）が前記バー受け本体支持体（６）に対して前方突出状に支持されてなる請求項１に記載のタオル等の掛け具。
【請求項３】
前記バー受け（３）が、前記止着体（２）に対して垂直軸線を中心として首振り回動自在に取り付けられてなる請求項１又は請求項２のいずれかに記載のタオル等の掛け具。
【発明の詳細な説明】
【０００１】
【産業状の利用分野】
本発明は、浴室、洗面所、トイレ、台所等の垂直壁面に取り付けられ、タオル、布巾、雑巾等を二つ折り状に掛け吊すタオル等の掛け具に関する。
【０００２】
【従来の技術】
この種のタオル等の掛け具としては、図７に示すように、壁面に止着させる一の止着体（５２）と、該止着体（５２）に前方突出状に取り付けられたバー受け（５３）と、断面真円形の棒材を屈曲成形し、正面視において水平軸（５４ａ）のほぼ倍の長さの掛けバー本体（５４ｂ）を有する掛けバー（５４）とを備えたタオル掛け具（５１）が公知である。
【０００３】
このタオル掛け具（５１）によれば、掛けバー本体（５４ｂ）を水平軸（５４ａ）を中心として上下に回動できることから、これを上方へ回動した場合に掛けバー本体（５４ｂ）と浴室等の垂直壁面との間の距離を大きくとることができ、タオルの掛け吊りが行いやすいという利点を存している。
【０００４】
【発明が解決しようとする課題】
而して、前記掛け具（５１）は、前記回動を行うために、掛けバー（５４）として断面真円形のパイプが採用されている。一方で、タオル掛け具（５１）は濡れたタオルが効率よく乾くことも要請され、二つ折りに吊り掛けたタオルの前半部と後半部との距離が大きい方が好ましい。
【０００５】
従って、掛けバー（５４）として断面真円形のパイプを採用したまま、タオルの前半部と後半部との間の距離を大きく取るには、パイプの直径を可及的に大きくすれば良いこととなるが、このようなものは掛けバーが太くなり、材料コストが高くなることから採用し難い。
【０００６】
そこで、タオルの前半部と後半部との間の距離を比較的大きく取ることができ、かつ材料コストを抑えるには掛けバーとして高さより幅が大の断面非真円形のパイプを採用すれば良いこととなる。しかしながら、そうした場合、掛けバーの水平軸も断面非真円形となってしまうから、掛けバーが水平軸を中心として回動することが困難となる。もとより、そのような不具合を解消するには、水平軸の断面形状は真円形とするが掛けバー本体の断面形状を非真円形である掛けバーを採用することも考えられるが、そのような掛けバーは製造コストが高くつく。即ち、断面形状が真円形であれ非真円形であれ、水平軸と掛けバー本体とが同一断面形状であれば掛けバーを押出成形できるが、そうでない場合は、押出成形することができず製作がいささか面倒になるからである。
【０００７】
また、掛けバー本体の断面形状が真円形である場合には、濡れたタオル等を二つ折り状に掛け吊した際に滑り落ちやすい傾向にあるという問題点も有しており、従ってタオル等をバランス良く掛け吊さなければならず面倒であった。
【０００８】
この発明は、上記のような問題点に鑑みてなされたものであり、掛けバーの回動自在性を保持したまま、タオル等を効率的に乾かせることができ、かつ製作コストも可及的抑制するタオル等の掛け具を提供することを目的とする。
【０００９】
【課題を解決するための手段】
この発明は、上記の目的において、壁面に止着させる止着体と、該止着体に設けられたバー受けと、該バー受けに水平軸回りに回動自在に支持されるとともに前記水平軸から延設された掛けバー本体にタオル等を二つ折り状に掛け吊すものとなされた掛けバーとを備えてなるタオル等の掛け具において、前記掛けバーが、高さよりも幅が大に設定されてなる断面非真円形の棒材から形成されるとともに、前記水平軸に回動用連結体が固着され、該回動用連結体を介して前記バー受けに水平軸回りに回動自在に支持されるものとなされてなることを特徴とするものである。
【００１０】
これによれば、掛けバーは、その高さよりも幅が大に設定されてなる、いわゆる横長の断面非真円形の棒材から形成されているので、タオル等を二つ折り状に掛け吊した際に、タオル等の前後両半部の間隔を十分にとることができ、濡れたタオル等を効率的に乾かせることができるとともに、タオル等の不本意な脱落を防止することができる。しかも、掛けバーの断面について高さ方向には広げる必要がないので、材料費等を低コストに抑えることができる。また、掛けバーは、回動用連結体を介してバー受けに回動自在に取り付けられているので、断面が横長の非真円形形状である掛けバーであっても、この種のタオル等の掛け具として本来的に要請される回動自在性を保持することができるとともに、製作コストも可及的に抑制することができる。
【００１１】
また、請求項２に係るタオル等の掛け具は、前記バー受けが、前記掛けバーが実質的に取り付けられるバー受け本体と、該バー受け本体を支持し前記止着体に取り付けられるバー受け本体支持体とからなるものである。これによれば、タオル等の掛け具設置前においてバー受け本体支持体とバー受け本体とを分離することができるので、保存、運搬等における取扱が便利になる。しかも、前記バー受け本体支持体は、前端部に水平方向に沿った嵌合用突条部とその下方に設けられたバー受け本体受け面部とを備える一方、前記バー受け本体は後端部に後方に膨出した連結用凸部が形成され、該連結用凸部に水平方向に沿って前記嵌合用突条部に対応した形状の溝部を備え、該溝部が前記嵌合用突条部に嵌合されるとともに、前記連結用凸部の下面が前記バー受け本体受け面部に支持されることにより前記バー受け本体が前記バー受け本体支持体に対して前方突出状に支持されてなるので、バー受け本体支持体が前記嵌合用突条部が溝部に嵌合されることにより支持されるだけでなく、連結用凸部の下面が受け面部に当接されることによっても支持されるので、前記嵌合部分の負担を少なくでき、より耐久性に優れたものとすることができる。
【００１２】
さらに、請求項３にかかるタオル等の掛け具は、バー受けが、止着体に対して垂直軸線を中心として首振り回動自在に取り付けられなるものである。これによれば、バー受けが止着体に対して首振り回動自在に取り付けられてなるものであるので、タオル等の使用に際し使用者が掛けバーを常に正面でとらえることができ、斜め方向からの使用によってタオルに生じるようなしわの発生を防止するものとなされている。
【００１３】
【発明の実施の形態】
以下にこの発明の好ましい実施の形態を、図１ないし図５に示す実施例に基づいて説明する。
【００１４】
図１ないし図５に示す実施例において、タオル等の掛け具（１）は、壁面に止着させる止着体（２）と、該止着体（２）に垂直軸線を中心として首振り回動自在に取り付けられたバー受け（３）と、回動用連結体（５）を介して前記バー受け（３）に回動自在に取り付けられた断面非真円形の掛けバー（４）とを備えている。
【００１５】
前記止着体（２）は、軟質ポリ塩化ビニル合成樹脂から作製された正面視円形状の吸盤（２ａ）と、その正面視中央に前方に突出したきのこ状突起部（２ｂ）とからなり、該きのこ状突起部（２ｂ）と前記吸盤（２ａ）とは一体成形されている。図１ないし図３に示すように、この止着体（２）は、前記吸盤（２ａ）を浴室等の垂直壁面（Ｗ）に吸着させることにより、壁面（Ｗ）に止着されるものである。また、前記きのこ状突起部（２ｂ）は、その傘部の上部及びこれに対応する下部に一対のバー受け取付孔（２ｃ）（２ｃ）が形成され、バー受け（３）が取り付けられるものとなされている。
【００１６】
バー受け（３）は、硬質合成樹脂から製作され、図２及び図４に示すように、掛けバー（４）が実質的に取り付けられる横倒し円筒状バー受け本体（７）と、その後端縁に接合されバー受け本体（７）を支持するバー受け本体支持体（６）とから構成されている。このように、バー受け（３）をこれら２つの部材によって構成することにより、保管、運搬等の際に嵩張らず、その取扱が容易となる。
【００１７】
バー受け本体支持体（６）は、図４に示すように、後部において二股状に分岐した上下一対の脚部（６ｃ）（６ｃ）が形成される一方、前端部においてバー受け本体受け部（６ｄ）が形成され、全体として流線形状に仕上げられ美感の優れたものとなされている。バー受け本体受け部（６ｄ）には、幅方向に沿って受け溝部（６ｅ）が形成されるとともに、その最陥部に沿って前方に突出し、かつ先端縁が高さ方向に膨出した、断面視ほぼ鍵穴形状の嵌合用突条部（６ａ）が形成され、該嵌合用突条部（６ａ）と、その下方に位置する前記受け溝部（６ｅ）の一内側面であるバー受け本体受け面部（６ｆ）とにより実質的にバー受け本体（７）を支持するものとなされている。また、バー受け本体支持体（６）は、各脚部（６ｃ）（６ｃ）の後部内面に同一の垂直軸線を中心軸とし、径を同じくする一対の取付軸（６ｂ）（６ｂ）が対向状に突設され、該一対の取付軸（６ｂ）（６ｂ）が前記一対のバー受け取付孔（２ｃ）（２ｃ）に挿入されて、バー受け（３）が止着体（２）に取り付けられるものとなされている。このように、本実施例においては、同一の垂直軸線を中心軸とする１対の取付軸（６ｂ）（６ｂ）によりバー受け（３）が止着体（２）に取り付けられるので、図３に鎖線で示すように、バー受け（３）が止着体（２）に対し中心軸、即ち垂直軸線を中心として首振り回動自在に設けられることとなり、使用に際し掛けバー（４）を常に正面でとらえることができ、斜め方向からの使用によってタオルの折り曲げ部付近に生じるしわの発生を防止するものとなされている。
【００１８】
一方、バー受け本体（７）は、硬質合成樹脂成形物であり、その一側面から他側面へと貫通された挿入孔（７ｃ）を有するとともに、後端部に沿って後方に膨出された連結用凸部（７ａ）が形成され、該連結用凸部（７ａ）の幅方向に沿って前記バー受け本体支持体（６）の嵌合用突条部（６ａ）に対応した形状の溝部（７ｂ）が形成され、該溝部（７ｂ）が前記嵌合用突条部（６ａ）に嵌合されるとともに、前記連結用凸部（７ａ）の下面が前記バー受け本体受け面部（６ｆ）に支持されることにより、前記バー受け本体（７）がバー受け本体支持体（６）に支持されるものとなされている。このように、バー受け本体（７）が嵌合用突出部（６ａ）とバー受け本体受け面（６ｆ）によって支持されるので、嵌合用突出部（６ａ）に作用する荷重負担を軽減して、耐久性を向上させることができる。また、バー受け本体（７）は、図５に示すように、前記挿入孔（７ｃ）内、即ち内周面幅方向ほぼ中央において内方に膨出する膨出部（７ｄ）が周方向全体にわたって形成され、後述する回動用連結体（５）が前記挿入孔（７ｃ）に嵌入された場合に軸方向への抜出を防止するものとなされている。
【００１９】
バー受け本体支持体（６）とバー受け本体（７）との接合は、バー受け本体支持体（６）の嵌合用突条部（６ａ）の側面とバー受け本体（７）の溝部（７ｂ）の側面とを対向させた状態で、バー受け本体（７）をバー受け本体支持体（６）側にスライドさせることにより、前記嵌合用突条部（６ａ）と溝部（７ｂ）とを嵌合されることにより行われる。
【００２０】
掛けバー（４）は、断面が高さよりも幅が大に設定されてなる、いわゆる横長の非真円形状に設定されている一本のアルミパイプによる屈曲成形品であり、水平軸（４ａ）と、該水平軸（４ａ）の一側端縁から垂直下方に延びる接続部（４ｂ）と、該接続部（４ｂ）の下端縁からに水平に延びかつ水平軸（４ａ）のほぼ倍の長さの掛けバー本体（４ｃ）とから構成され、正面視においてほぼ横に倒れたし字状形状に成形されており、掛けバー本体（４ｃ）にタオル、布巾、雑巾等を二つ折り状に掛け吊すことができるものとなされている。さらに詳述すると、掛けバー（４）は、長径を幅方向とするほぼ楕円形状に押出成形されたアルミパイプにより形成されるとともに、後端縁部に断面視鍵穴状の接触溝部（４ｄ）が設けられているものである。この接触溝部（４ｄ）は、後述の回動用連結体（５）の取付穴（５ａ）に対応するもので、回動用連結体（５）との接触面積を増やすことにより、回動用連結体（５）を強固に固着するために設けられたものである。また、掛けバー（４）は、前記水平軸（４ａ）の遊端部に回動用連結体（５）が固着され、該回動用連結体（５）を介して、バー受け（３）に回動自在に取り付けられている。一方、掛けバー本体（４ｃ）の遊端部には、合成樹脂からなり、上方に屈曲したエンドキャップ（１０）を嵌着させ、タオル等の脱落を防止するとともに、端面の露呈を防止し、美感を維持するものとしている。
【００２１】
前記回動用連結体（５）は、硬質合成樹脂からなり、バー受け（３）の挿入孔（７ｃ）よりも若干径小の横倒し状態の円柱体であり、図４に示すように、その一側面ほぼ中央に掛けバー（４）の断面形状とほぼ同じ大きさの対応形状の取付穴（５ａ）が設けられる一方、他側面が外方に向かって膨出され、掛けバー（４）の端面の露呈を防止するエンドキャップとしての機能をも果たすものである。また、回動用連結体（５）は、図５に示すように、その外周面の幅方向ほぼ中央に前記バー受け（３）の膨出部（７ｄ）に対応した抜出防止用溝（５ｂ）が周方向の全体にわたって設けられている。
【００２２】
回動用連結体（５）を掛けバー（４）に取り付けるには、水平軸（４ａ）の遊端部を取付孔（５ａ）の形状に対応させた状態で強制嵌入すればよい。また、この回動用連結体（５）付き掛けバー（４）をバー受け（３）に取り付けるためには、図５に示す状態、即ち回動用連結体（５）の抜出防止用溝（５ｂ）がバー受け本体（７）の膨出部（７ｄ）に嵌合する状態にまで、回動用連結体（５）をバー受け本体（７）の挿入孔（７ｃ）に強制嵌入すればよい。
【００２３】
上述した本実施例のタオル等の掛け具（１）においては、掛けバー（４）が断面横長の非真円形である楕円形状のアルミパイプから形成されるので、その短径と同等の直径を持つ断面真円形の棒材からなる掛けバーに比べ、前後両半部間のタオル間隔を広くとることができ、より効率的に濡れたタオル等を乾かすことができる一方、その長径と同等の直径を持つ断面真円形の棒材からなる掛けバーに比べ、材料費等のコスト面で優れたものとなる。しかも、掛けバー（４）は、その断面が楕円形状であるにもかかわらず、外周が真円形状に形成された回動用連結体（５）を介してバー受け（３）に取り付けられることにより、図２（イ）（ロ）に示すように、その回動自在性を保持することができる。また、水平軸（４ａ）に回動用連結体（５）を取り付けるだけでよいので、製作コストも可及的に抑制することができる。
【００２４】
以上に本発明の実施例を説明したが、本発明は上記実施例に限定されるものではなく、各種変更が可能である。例えば、以下のような変更が可能である。
【００２５】
上記実施例では、止着体（２）として軟質ポリ塩化ビニル樹脂からなる吸盤（２ａ）を備えたものを用いたが、吸盤（２ａ）に代えて硬質合成樹脂からなる止着板を備えたものを用い、前記止着板をネジ等の機械的固定手段や接着により壁面に止着するものであっても良い。ただ、簡易に壁面に取り付けることができる点で、吸盤（２ａ）を用いるのが望ましい。
【００２６】
また、掛けバー（４）は、正面視において横倒れし字状形状のものを用いたが、その他の公知の形状、例えば、図６に示すような円形リング状のもの（１４）や長方形リング状のものであっても良い。ただし、円形リング状の掛けバー（１４）を採用する場合においては、該水平軸回りに回動自在に支持することができるように、水平軸として回動用連結体（５）に挿入される部分を直線的に形成する必要がある。
【００２７】
更に、掛けバー（４）の断面形状は楕円形状のものとしたが、これに限定されるものでなく、その他の横長の非真円形の形状、例えば長円形状や長方形状等公知の形状を採用することができる。
【００２８】
【発明の効果】
以上のように、請求項１の発明に係るタオル等の掛け具によれば、掛けバーが断面横長の非真円形の棒材から形成されているので、タオル等を二つ折り状に掛け吊した際にタオル等の前後両半部の間隔を十分にとることができるとともに、タオル等の不本意な脱落を防止することができる。また、タオル等の前後両半部の間隔を十分にとることにより、該間隔を流れる空気量が増し、タオル等を迅速かつ効率的に乾かせることができ、常に快適なタオル等を供することができる。しかも、同一間隔を確保することができる断面真円形の棒材から形成された掛けバーに比べ、材料費等を低コストに抑えることができ、経済的なタオル等の掛け具を提供することができる。また、掛けバーは、回動用連結体を介してバー受けに回動自在に取り付けられてなるので、断面が横長の非真円形形状である場合であっても、この種のタオル等の掛け具として本来的に要請される回動自在性を保持することができるとともに、製作コストも可及的に抑制することができる。
【００２９】
また、請求項２の発明に係るタオル等の掛け具は、前記バー受けが、前記掛けバーが実質的に取り付けられる横倒し円筒状のバー受け本体と、該バー受け本体を支持し止着体に取り付けられるバー受け本体支持体とからなるものであるので、タオル等の掛け具の設置前にバー受け本体とバー受け本体支持体とを分離することにより保管、運搬等の取扱に便利になる。しかも、バー受け本体支持体が、前端部に水平方向に沿った嵌合用突条部とその下方に設けられたバー受け本体受け面部とを備える一方、バー受け本体は後端部に後方に膨出した連結用凸部が形成され、該連結用凸部に水平方向に沿って前記嵌合用突条部に対応した形状の溝部を備え、該溝部が前記嵌合用突条部に嵌合されるとともに、前記連結用凸部の下面が前記バー受け本体受け面部に支持されることによりバー受け本体がバー受け本体支持体に対して前方突出状に支持されてなり、バー受け本体が嵌合用突条部とバー本体受け面とによって支持され、荷重が分散されるので、耐久性に優れたものとなるという利点がある。
【００３０】
さらに、請求項３の発明に係るタオル等の掛け具は、バー受けが、止着体に対して垂直軸線を中心として首振り回動自在に取り付けられているので、タオル等の使用に際し掛けバーを常に正面でとらえることができ、斜め方向からの使用によってタオルの折り曲げ部付近に生じるしわの発生を防止することができるという利点がある。
【図面の簡単な説明】
【図１】この発明に係るタオル等の掛け具の一実施例を示す斜視図である。
【図２】図（イ）は、図１のＩＩ−ＩＩ線の断面図である。図（ロ）は、図（イ）における掛けバーを時計方向に回動させた状態を示す断面図である。
【図３】この発明に係るタオル等の掛け具の一実施例を示す平面図である。
【図４】同掛け具のバー受け、回動用連結体及び掛けバーを拡大して示す断面図である。
【図５】図１のＶ−Ｖ線の断面図である。
【図６】この発明の掛けバーの変形例であるタオル等の掛け具を示す斜視図である。
【図７】従来のタオル等の掛け具を示す断面図である。
【符号の説明】
１・・・タオル等の掛け具
２・・・止着体
３・・・バー受け
４・・・掛けバー
４ａ・・・水平軸
４ｃ・・・掛けバー本体
５・・・回動用連結体
６・・・バー受け本体支持体
６ａ・・・嵌合用突条部
６ｆ・・・バー受け本体受け面部
７・・・バー受け本体
７ａ・・・連結用凸部
７ｂ・・・溝部
【図１】
0003624143.tif 000002
【図２】
0003624143.tif 000003
【図３】
0003624143.tif 000004
【図４】
0003624143.tif 000005
【図５】
0003624143.tif 000006
【図６】
0003624143.tif 000007
【図７】
0003624143.tif 000008